(57)【要約】【課題】比較的広い面積で天井から室内空間の下部に向う整った調和空気を所望の風量及び／または風速で吹出すことのできる空気調和装置を提供する。【解決手段】第１室内ユニット１１及び第２室内ユニット１２は、天井ＣＥに設置され、第１吹出口２１及び第２吹出口２２から水平方向に沿って吹き出す調和空気の風量及び／または風速を制御可能に構成されている。整流部材３０は、第１吹出口２１と第２吹出口２２から吹き出された調和空気が衝突する衝突空間ＳＰ１の下方に配置されている。整流部材３０は、衝突後の調和空気を整流して室内空間の下部である第２室内空間ＲＭ２に降りていく整った調和空気の気流を形成する。【選択図】図１
2019020096.tif 000002
【特許請求の範囲】
【請求項１】
天井に設置され、第１吹出口（２１）及び第２吹出口（２２）から水平方向に沿って吹き出す調和空気の風量及び／または風速を制御可能に構成されている室内ユニット（１１，１２）と、
前記室内ユニットの前記第１吹出口と前記第２吹出口から吹き出された調和空気が衝突する空間の下方に配置され、衝突後に室内空間の下部に降りていく調和空気を整流する整流部材（３０）と、
を備える、空気調和装置。
【請求項２】
前記室内ユニットが前記第１吹出口と前記第２吹出口から吹き出す調和空気の風量及び／または風速をそれぞれに制御することにより、調和空気が衝突する平面的な位置を変更できるように構成されている、
請求項１に記載の空気調和装置。
【請求項３】
前記整流部材は、調和空気が通過する方向の厚みが５ｍｍ以上５０ｍｍ以下の範囲内に設定されている、請求項１または請求項２に記載の空気調和装置。
【請求項４】
前記整流部材は、流路面積が１０平方ミリメートル以上５０平方ミリメートル以下であって厚み方向に貫通する複数の穴を有する、
請求項１から３のいずれか一項に記載の空気調和装置。
【請求項５】
前記整流部材は、天井からの距離が３０ｍｍ以上８００ｍｍ以下になるように配置されている、
請求項１から４のいずれか一項に記載の空気調和装置。
【請求項６】
前記整流部材は、複数のブロック（ＢＬ１〜ＢＬ４）に分割され、互いに隣接するブロックが互いに接触している、
請求項１から５のいずれか一項に記載の空気調和装置。
【請求項７】
前記整流部材は、天井から吊り下げられる支持部材（４０）に掛止されている、
請求項１から６のいずれか一項に記載の空気調和装置。
【請求項８】
前記整流部材は、揺動可能に吊り下げられている、
請求項７に記載の空気調和装置。
【請求項９】
前記第１吹出口と前記第２吹出口から吹き出された調和空気が衝突する空間の上方に配置されている照明装置及び／または映像投影装置（５０）をさらに備える、
請求項１から８のいずれか一項に記載の空気調和装置。
【請求項１０】
前記第１吹出口と前記第２吹出口から吹き出された調和空気が衝突する空間の上方に配置されているスピーカー（６１）をさらに備える、
請求項１から９のいずれか一項に記載の空気調和装置。
【請求項１１】
前記第１吹出口及び／または前記第２吹出口から吹き出された調和空気に香り成分を混入させる香り発生装置（７０）をさらに備える、
請求項１から１０のいずれか一項に記載の空気調和装置。
【請求項１２】
前記整流部材は、材質がアルミニウムである、
請求項１から１１のいずれか一項に記載の空気調和装置。
【発明の詳細な説明】
【技術分野】
【０００１】
本発明は、天井に設置されている室内ユニットを備える空気調和装置に関する。
【背景技術】
【０００２】
従来から、室内の空気調和を行うために、天井に室内ユニットを設置する場合がある。天井に設置した複数の室内ユニットを使うことで室内に対して様々な空気調和を行うことができる。例えば、特許文献１（特開平４−２９７７４０号公報）には、天井に設置された２つの室内ユニットから吹出される調和空気を衝突させて室内を２つの領域に分割して空気調和を行うことが記載されている。
【発明の概要】
【発明が解決しようとする課題】
【０００３】
しかしながら、特許文献１に記載されているように、２つの室内ユニットから吹出される調和空気を衝突させるだけでは、衝突空間で渦が生じて所望の気流を得ることが難しくなる。
【０００４】
本発明の課題は、比較的広い面積で天井から室内空間の下部に向う整った調和空気を所望の風量及び／または風速で吹出すことのできる空気調和装置を提供することである。
【課題を解決するための手段】
【０００５】
本発明の第１観点に係る空気調和装置は、天井に設置され、第１吹出口及び第２吹出口から水平方向に沿って吹き出す調和空気の風量及び／または風速を制御可能に構成されている室内ユニットと、室内ユニットの第１吹出口と第２吹出口から吹き出された調和空気が衝突する空間の下方に配置され、衝突後に室内空間の下部に降りていく調和空気を整流する整流部材とを備える。
【０００６】
第１観点に係る空気調和装置によれば、室内ユニットの第１吹出口及び第２吹出口から水平方向に沿って吹き出す調和空気の風量及び／または風速を制御でき、第１吹出口と第２吹出口から吹き出された調和空気が衝突する空間の下方に配置された整流部材によって、衝突して乱れた気流を整流して整えて室内空間の下部に向けて降りていくようにすることができる。
【０００７】
本発明の第２観点に係る空気調和装置は、第１観点の空気調和装置において、室内ユニットが第１吹出口と第２吹出口から吹き出す調和空気の風量及び／または風速をそれぞれに制御することにより、調和空気が衝突する平面的な位置を変更できるように構成されている、ものである。
【０００８】
第２観点に係る空気調和装置によれば、室内ユニットが第１吹出口と第２吹出口から吹き出す調和空気の風量及び／または風速を制御することにより、調和空気が降りる平面的な位置の変更を制御できるように構成されていることから、例えばユーザからの要求に応えて調和空気が降りる平面的な位置の変更を制御することができる。
【０００９】
本発明の第３観点に係る空気調和装置は、第１観点または第２観点の空気調和装置において、整流部材は、調和空気が通過する方向の厚みが５ｍｍ以上５０ｍｍ以下の範囲内に設定されている、ものである。
【００１０】
第３観点に係る空気調和装置によれば、調和空気が通過する方向の整流部材の厚みが５ｍｍ以上５０ｍｍ以下の範囲内に設定されていることから、整流部材の上方で衝突する調和空気が室内空間の下部に降りていく際に整流部材の中を十分な距離通過することができる。
【００１１】
本発明の第４観点に係る空気調和装置は、第１観点から第３観点のいずれかの空気調和装置において、整流部材は、流路面積が１０平方ミリメートル以上５０平方ミリメートル以下であって厚み方向に貫通する複数の穴を有する、ものである。
【００１２】
第４観点に係る空気調和装置によれば、整流部材の穴の流路面積が１０平方ミリメートル以上であることから、穴の中における圧力損失を小さくして調和空気の気流が確保し易く、また流路面積が５０平方ミリメートル以下であることから気流の乱れを除いて整流する機能を十分に確保し易くなる。また、流路面積が１０平方ミリメートル以上５０平方ミリメートル以下であると、天井の構造体を整流部材によって適度に目隠しすることができる。
【００１３】
本発明の第５観点に係る空気調和装置は、第１観点から第４観点のいずれかの空気調和装置において、整流部材は、天井からの距離が３０ｍｍ以上８００ｍｍ以下になるように配置されている、ものである。
【００１４】
第５観点に係る空気調和装置によれば、天井からの距離が３０ｍｍ以上であることから水平方向に吹出される調和空気の圧損を小さくして衝突する調和空気の風量及び／または風速を確保し易くなり、天井からの距離が８００ｍｍ以下であるので整流部材までの高さを確保し易くなる。
【００１５】
本発明の第６観点に係る空気調和装置は、第１観点から第５観点のいずれかの空気調和装置において、整流部材は、複数のブロックに分割され、互いに隣接するブロックが互いに接触している、ものである。
【００１６】
第６観点に係る空気調和装置によれば、整流部材が複数のブロックに分割され、互いに隣接するブロックが互いに接触していることから、設置された状態では複数のブロックがまとまってほぼ一体的になっているように見えながら、天井を整流部材が覆う面積よりも小さなブロックを使って整流部材の全体を形成できる。
【００１７】
本発明の第７観点に係る空気調和装置は、第１観点から第６観点の空気調和装置において、整流部材は、天井から吊り下げられる支持部材に掛止されている、ものである。
【００１８】
第７観点に係る空気調和装置によれば、整流部材が天井から吊り下げられる支持部材に掛止されて支持されていることから、天井の適当な場所に支持部材を取り付けて整流部材の設置場所を適宜設定することができる。
【００１９】
本発明の第８観点に係る空気調和装置は、第７観点の空気調和装置において、整流部材は、揺動可能に吊り下げられている、ものである。
【００２０】
第８観点に係る空気調和装置によれば、整流部材が揺動可能に吊り下げられていることから、整流部材を揺らすことによって様々な副次効果を付加することができ、例えば整流部材がブロックに分割されている場合には隣接する整流部材のブロック同士を衝突させて風鈴のような音を発生させたり、整流部材がアルミニウムのように光を反射する部材で構成されているときには床に投影された反射光を動かしてアミューズメント空間を演出したりできる。
【００２１】
本発明の第９観点に係る空気調和装置は、第１観点から第８観点のいずれかの空気調和装置において、第１吹出口と第２吹出口から吹き出された調和空気が衝突する空間の上方に配置されている照明装置及び／または映像投影装置をさらに備える、ものである。
【００２２】
第９観点に係る空気調和装置によれば、第１吹出口と第２吹出口から吹き出された調和空気が衝突する空間の上方に配置されている照明装置及び／または映像投影装置により、衝突後の整流された調和空気が降りていくエリアの照明や映像を調整できる。
【００２３】
本発明の第１０観点に係る空気調和装置は、第１観点から第９観点のいずれかの空気調和装置において、第１吹出口と第２吹出口から吹き出された調和空気が衝突する空間の上方に配置されているスピーカーをさらに備える、ものである。
【００２４】
第１０観点に係る空気調和装置によれば、第１吹出口と第２吹出口から吹き出された調和空気が衝突する空間の上方に配置されているスピーカーにより、衝突後の整流された調和空気が降りていくエリアの音を調整できる。
【００２５】
本発明の第１１観点に係る空気調和装置は、第１観点から第１０観点のいずれかの空気調和装置において、第１吹出口及び／または第２吹出口から吹き出された調和空気に香り成分を混入させる香り発生装置をさらに備える、ものである。
【００２６】
第１１観点に係る空気調和装置によれば、第１吹出口及び／または第２吹出口から吹き出された調和空気に香り成分を混入させる香り発生装置を備えることから、第１吹出口及び第２吹出口から吹き出された調和空気の衝突によって香り成分を調和空気の中で撹拌できる。
【００２７】
本発明の第１２観点に係る空気調和装置は、第１観点から第１１観点のいずれかの空気調和装置において、整流部材は、材質がアルミニウムである、ものである。
【００２８】
第１２観点に係る空気調和装置によれば、整流部材の材質がアルミニウムであることから、整流部材の広範囲に熱を伝達することができる。
【発明の効果】
【００２９】
本発明の第１観点に係る空気調和装置では、第１吹出口及び第２吹出口から水平方向に沿って吹出されて衝突した調和空気を、整流部材を通過させることによって、比較的広い面積で天井から室内空間の下部に渦流の無くなった状態にして所望の風量及び／または風速で吹出させることができる。
【００３０】
本発明の第２観点に係る空気調和装置では、調和空気を吹出させるエリアの設定位置を変更することができる。
【００３１】
本発明の第３観点に係る空気調和装置では、気流を十分に整えて気流の乱れを十分に取り除くことができる。
【００３２】
本発明の第４観点に係る空気調和装置では、快適な風速で天井から室内空間の下部に調和空気を流し易くなり、また天井周辺の美観を向上させることができる。
【００３３】
本発明の第５観点に係る空気調和装置では、整流部材の上方を流れる調和空気の気流を制御して所望の気流を形成し易くなり、整流部材の下方において快適な空間を形成し易くなる。
【００３４】
本発明の第６観点に係る空気調和装置では、整流部材を一体的につくる場合に比べて整流部材を安価に提供でき、また一体的な整流部材よりも分割されたブロックからなる整流部材の方が施工やメンテナンスも容易になる。
【００３５】
本発明の第７観点に係る空気調和装置では、整流部材の設置場所の選択の自由度が広がる。
【００３６】
本発明の第８観点に係る空気調和装置では、整流部材の設置された部屋のアメニティ空間としての機能を向上させることができる。
【００３７】
本発明の第９観点に係る空気調和装置では、整流部材を通過した光及び／または映像によって空調空間の演出ができる。
【００３８】
本発明の第１０観点に係る空気調和装置では、整流部材を通過した音によって空調空間の演出ができる。
【００３９】
本発明の第１１観点に係る空気調和装置では、整流部材を通過した香りによる空調空間の演出の質を高めることができる。
【００４０】
本発明の第１２観点に係る空気調和装置では、整流部材の広い範囲からの輻射による熱の伝達が行える。
【図面の簡単な説明】
【００４１】
【図１】実施形態に係る空気調和装置の構成の概要を示す模式図。
【図２】実施形態に係る空気調和装置の構成の一例を示す斜視図。
【図３】空気調和装置の整流部材の構成の一部を示す斜視図。
【図４】空気調和装置の支持部材の構成の一部を示す斜視図。
【図５】整流部材による輻射の効果を説明するための模式図。
【図６】実施形態に係る空気調和装置の構成の一例を示す斜視図。
【図７】（ａ）衝突空間が左に移動した状態の空気調和装置を示す模式図、（ｂ）衝突空間が右に移動した状態の空気調和装置を示す模式図。
【図８】変形例１Ｂに係る空気調和装置の構成の概要を示す模式図。
【図９】変形例１Ｃに係る空気調和装置の構成の概要を示す模式図。
【図１０】変形例１Ｄに係る空気調和装置の構成の概要を示す模式図。
【発明を実施するための形態】
【００４２】
以下、本発明の実施形態に係る空気調和装置について図面を用いて説明する。図１には、実施形態に係る空気調和装置の構成が模式的に示されている。図２には、図１に示されている空気調和装置１０を斜め下から見た状態が示されている。
【００４３】
（１）全体構成
図１に示されている空気調和装置１０は、第１吹出口２１を有する第１室内ユニット１１と、第２吹出口２２を有する第２室内ユニット１２と、整流部材３０とを備えている。第１室内ユニット１１と第２室内ユニット１２は、天井ＣＥに設置されている。第１室内ユニット１１及び第２室内ユニット１２は、空気調和機能を有しており、第１吹出口２１及び第２吹出口２２から調和空気が吹出される。図１には、第１吹出口２１から吹出される調和空気の気流が矢印Ａｒ１で模式的に示され、第２吹出口２２から吹出される調和空気の気流が矢印Ａｒ２で模式的に示されている。
【００４４】
室内空間は、整流部材３０を高さ方向の境界として、天井ＣＥに近い第１室内空間ＲＭ１と、整流部材３０から床ＦＬまでの第２室内空間ＲＭ２に分けられる。調和空気は、第１吹出口２１及び第２吹出口２２から水平方向に沿って吹出される。第１吹出口２１と第２吹出口２２から吹出された調和空気は、先ず、整流部材３０よりも上の第１室内空間ＲＭ１に流れる。そして、第１吹出口２１から吹出された調和空気と第２吹出口２２から吹出された調和空気は、第１室内空間ＲＭ１内の衝突空間ＳＰ１で衝突する。この衝突空間ＳＰ１は、左右方向において第１吹出口２１と第２吹出口２２の間に位置する。図１においては、衝突空間ＳＰ１で衝突して乱流となっている調和空気が、矢印Ａｒ３で模式的に示されている。
【００４５】
第１吹出口２１の高さ位置と第２吹出口２２の高さ位置とが実質的に同じであれば、第１吹出口２１から第２吹出口２２に向けて水平方向に沿って吹き出された調和空気と、第２吹出口２２から第１吹出口２１に向けて水平方向に沿って吹出された調和空気とが互いに正面衝突する。なお、調和空気を水平方向に沿って吹き出す態様の中には、例えば、水平方向に対して第１室内ユニット１１から第２室内ユニット１２に向って天井ＣＥが若干（例えば数deg.）傾斜して第１室内ユニット１１よりも第２室内ユニット１２が高くなっている場合、第１吹出口２１から天井ＣＥと平行に調和空気を吹き上げ、第２吹出口２２から天井ＣＥと平行に調和空気を吹き下ろす場合も含まれる。また、第１吹出口２１と第２吹出口２２からともに水平方向に対して若干傾斜するように吹き上げる場合、或いは第１吹出口２１と第２吹出口２２からともに水平方向に対して若干傾斜するように吹き下ろす場合も、調和空気を水平方向に沿って吹き出す態様に含まれる。
【００４６】
衝突空間ＳＰ１で衝突した調和空気は、衝突後に整流部材３０を通過して整流部材３０で整流され、室内空間の下部すなわち第２室内空間ＲＭ２に降りていく。衝突して気流の乱れた調和空気（矢印Ａｒ３参照）が整流部材３０を通過することで、渦流の無い整った調和空気の気流が形成される。図１においては、このような整流部材３０を通過した後の整った気流は、矢印Ａｒ４で模式的に示されている。この矢印Ａｒ４で示されている気流が降りてくる空間は、第２室内空間ＲＭ２の中でも重点的に空調が行われる空調空間ＳＰ２である。
【００４７】
（２）詳細構成
（２−１）第１室内ユニット１１及び第２室内ユニット１２
第１室内ユニット１１及び第２室内ユニット１２は、空気調和機能として、例えば冷房機能、暖房機能、除湿機能及び加湿機能のうちの少なくとも一つを有している。第１室内ユニット１１と第２室内ユニット１２が実行する機能は必ずしも同じである必要はなく、互いに異なるものであってもよい。例えば。第１室内ユニット１１が暖房機能によって第１吹出口２１から温度を上昇させた空気を調和空気として吹出し、第２室内ユニット１２が暖房機能と加湿機能によって第２吹出口２２から温度と湿度を上昇させた空気を調和空気として吹出すように構成されてもよい。勿論、第１室内ユニット１１と第２室内ユニット１２がともに同じ空気調和機能、例えば両方が暖房機能のみを発揮するように構成されていてもよい。また、第１室内ユニット１１と第２室内ユニット１２がともに同じ空気調和機能、例えば両方が暖房機能のみを発揮する場合でも、吹出す調和空気の温度が同じである必要はなく、吹出す調和空気の温度が異なるように構成されていてもよい。暖房機能のみ発揮する場合に、第１吹出口２１と第２吹出口２２から例えば同じ２８℃の調和空気が吹出されるように構成されてもよいが、第１吹出口２１から例えば２９℃の調和空気が吹出され、第２吹出口２２から温度の異なる例えば２７℃の調和空気が吹出されるように構成されてもよい。
【００４８】
例えば、暖房機能及び／または冷房機能を有する第１室内ユニット１１と第２室内ユニット１２は、それぞれの内部に室内熱交換器（図示せず）を設けることで構成することができる。第１吹出口２１と第２吹出口２２から同じ温度の調和空気を吹き出すには、例えば、熱交換して吹出す同量の同じ室内空気に対して、これら室内熱交換器から単位時間当たりに同じ熱量を与えるように構成すればよい。吹出される調和空気の温度を異ならせるには、例えば熱交換して吹出す同量の同じ室内空気に対して、これら室内熱交換器から単位時間当たりに異なる熱量を与えるように構成すればよい。
【００４９】
また、第１室内ユニット１１及び第２室内ユニット１２は、第１吹出口２１及び第２吹出口２２から水平方向に沿って調和空気を吹出させるために、それぞれ、例えば第１室内ファン８１及び第２室内ファン８２（図６参照）を備えている。第１室内ファン８１は、例えば回転数の変更によって、風量及び／または風速が変更できるように構成されている。
【００５０】
図１及び図２に示されている第１室内ユニット１１及び第２室内ユニット１２には第１吹出口２１と第２吹出口２２にルーバが記載されていないが、第１吹出口２１及び第２吹出口２２から吹出される調和空気の風向を変更するためにルーバを第１室内ユニット１１及び第２室内ユニット１２が備える構成とすることもできる。例えば、上下方向の風向を変更する水平ルーバ及び／または前後方向の風向を変更するための垂直ルーバを第１吹出口２１と第２吹出口２２に設けることができる。
【００５１】
（２−２）整流部材３０
整流部材３０は、例えば、図３に示されているように、整流部３１と、整流部３１を囲む枠体３２と、整流部３１と枠体３２を天井ＣＥから吊り下げて支持する支持部材４０とを備えて構成されている。整流部３１は、図３に示されているように、複数の貫通穴３１ａを有する。貫通穴３１ａは、平面視において六角形の形状を呈する。これら六角形の貫通穴３１ａは、例えば、１平方メートル当たり２万個以上配置されている。整流部３１は、アルミニウムで形成されており、六角形の貫通穴３１ａの周りを薄いアルミニウム製の板状が取り囲むような構造を有している。アルミニウムは、軽く、高い剛性を有しており、熱伝導率が高いので、整流部３１の材料として好ましい。
【００５２】
枠体３２は、軽量で剛性の高い金属及び／または樹脂を用いて形成できる。枠体３２の材料としては例えばアルミニウムを用いることができる。枠体３２の構造には、例えば、板、中空の棒状体などを採用することができる。枠体３２と整流部３１とは、接着剤及び／またはビスで連結することができる。
【００５３】
枠体３２には、ワイヤ４３によって支持される掛止突部３２ａと、掛止突部３２ａの穴３２ｂに取り付けられた掛止リング３２ｃとが設けられている。穴３２ｂの径は、掛止リング３２ｃを構成する０字形状の金属製線材の断面よりも大きい。従って、掛止リング３２ｃが掛止突部３２ａに対して様々な姿勢をとることができるので、支持部材４０で支持されている状態で整流部材３０は揺動することができる。また、掛止リング３２ｃに取り付けられているワイヤ４３の一方の先端４３ａは、リング状に加工されている。このワイヤ４３の一方のリング状の先端４３ａと掛止リング３２ｃとが連結されている。
【００５４】
図４に示されているように、ワイヤ４３の他方の先端４３ｂもリング状に加工されている。ワイヤ４３の他方のリング状の先端４３ｂと吊り金具４１の吊り下げリング４１ａとが連結されている。吊り金具４１は、ビスなどによって天井ＣＥに固定される。吊り金具４１とリング状の先端４３ｂが連結されているので、吊り下げリング４１ａと先端４３ｂが揺動し易くなっている。その結果、支持部材４０によって天井ＣＥから吊り下げられている整流部材３０が、ワイヤ４３の先端４３ａ，４３ｂ、掛止リング３２ｃ及び吊り下げリング４１ａによる連結により揺動できる。
【００５５】
なお、整流部材３０を支持する支持部材４０は上述の形態に限られるものではなく、例えばワイヤ４３の代わりに金属棒を用いてもよい。また、揺動させない形態を採用してもよく、その場合には、例えば支持部材を構成する金属棒の両端を整流部材３０と天井ＣＥにビス止めしてもよい。
【００５６】
この空気調和装置１０によって第２室内空間ＲＭ２の空調を行う際には、整流部材３０に形成されている複数の貫通穴３１ａの中を調和空気が通過する。この調和空気が通過する方向に対して垂直な流路面積３１ａａ（図３の斜線の部分）は、例えば１０平方ミリメートル以上５０平方ミリメートル以下である。また、整流部材３０の厚さＴＨ、さらに詳細には整流部３１の厚さＴＨ（図１参照）は、例えば５ｍｍ以上５０ｍｍ以下の範囲に設定される。長さが５ｍｍ以上の貫通穴３１ａの断面積が１０平方ミリメートル以上５０平方ミリメートル以下であることから、天井の構造体を整流部材によって適度に目隠しすることができる。この整流部材３０から天井ＣＥまでの距離Ｌ１、さらに詳細には整流部３１から天井ＣＥまでの距離Ｌ１（図１参照）は、例えば３０ｍｍ以上８００ｍｍ以下である。
【００５７】
空気調和装置１０により暖房を行う場合には、既に説明したように、整流部３１がアルミニウムで形成されている場合にはアルミニウムの熱伝導率が高いことから、衝突空間ＳＰ１の下方だけでなく、衝突空間ＳＰ１の周囲の広いエリアまで整流部３１の温度が高くなる。その結果、図５に示されているように、衝突空間ＳＰ１の周囲のエリアにおいても、整流部材３０からの輻射熱Ｒｈによって整流部材３０の下方にいる人々を暖めることができる。
【００５８】
大きなホールでは通常、天井ＣＥには、図２に示されているように、第１室内ユニット１１及び第２室内ユニット１２以外にも、第３室内ユニット１３及び第４室内ユニット１４など多数の室内ユニットが設けられている。そして、第１室内ユニット１１の第１吹出口２１と第２室内ユニット１２の第２吹出口２２から吹出される調和空気を衝突させたように、例えば第３室内ユニット１３の第３吹出口２３と第４室内ユニット１４の第４吹出口２４から吹出される調和空気を衝突させるように構成することができる。また、第１室内ユニット１１の第５吹出口２５と第３室内ユニット１３の第６吹出口２６から吹出される調和空気を衝突させるように構成するなど、１台の第１室内ユニット１１について、複数の吹出口（第１吹出口２１及び第５吹出口２５）を用いるように構成してもよい。
【００５９】
上述のような第３吹出口２３及び第４吹出口２４から吹出される調和空気についても整流部材３０による整流をするためには、第３吹出口２３及び第４吹出口２４から吹出される調和空気が衝突する空間の下まで整流部材３０を配置する必要が生じる。このような場合、整流部材３０の面積が大きくなり、整流部材３０を１枚のハニカム状の部材で形成しようとすると、整流部材３０が高価なものになってしまう。そこで、整流部材３０は、複数の小さなブロックに、ここでは４つのブロックＢＬ１，ＢＬ２，ＢＬ３，ＢＬ４に分割されている。そして、各ブロックＢＬ１〜ＢＬ４は、互いに隣接するもの同士が互いに接触するように構成されている。例えば、ブロックＢＬ１とブロックＢＬ２が隣接しており、ブロックＢＬ１とブロックＢＬ２は互いに隙間無く接触している。これらブロックＢＬ１〜ＢＬ４は、互いに隣接するもの同士が互いに接触し、特に互いに隣接するブロック同士が隙間無く接触して設置されるので、設置された状態では複数のブロックがまとまってほぼ一体的になっているように見える。
【００６０】
（２−３）室外ユニット
空気調和装置１０は、室外ユニット（図示せず）を備えてもよい。第１室内ユニット１１から第４室内ユニット１４までの室内ユニットの例えば冷房機能、暖房機能、加湿機能及び除湿機能のうちの少なくとも一つを実施するために、第１室内ユニット１１から第４室内ユニット１４が室外ユニットに接続される。この場合、第１室内ユニット１１乃至第４室内ユニット１４の室内熱交換器が冷媒回路の構成要素の一つとなり、冷媒回路で蒸気圧縮式冷凍サイクルを実施できるように室外ユニットが、冷媒回路を構成する圧縮機、室外熱交換器及び膨張弁（図示せず）を備えていてもよい。また、第１室内ユニット１１乃至第４室内ユニット１４にまたは室外ユニットに、第１室内ユニット１１乃至第４室内ユニット１４の第１吹出口２１乃至第４吹出口２４から吹出される調和空気として加湿及び／または除湿された空気を用いるために、加湿器及び／または除湿器を備えていてもよい。
【００６１】
（２−４）制御系統
図６には、調和空気を衝突させて整流することによって第２室内空間ＲＭ２を空調するための空気調和装置１０の制御系統についての構成例の概要が示されている。空気調和装置１０は、空気調和装置１０を構成する各機器を制御するための制御装置８０を備えている。制御装置８０は、例えば、ＣＰＵ（中央演算処理装置）及びメモリ（図示せず）を含んでおり、メモリに記憶されているプログラムに従って空気調和装置１０の運転を制御する。
【００６２】
制御装置８０は、第１室内ファン８１、第２室内ファン８２、第３室内ファン８３及び第４室内ファン８４のファンモータの回転数を制御することにより、第１室内ファン８１乃至第４室内ファン８４の第１吹出口２１乃至第４吹出口２４などから吹出される調和空気の風量及び／または風速を制御する。制御装置８０は、空気調和装置１０の制御を行うために各種のセンサ８５から送信されてくる情報を受信する。例えば、室内温度及び室内熱交換器の温度などがセンサ８５で検出されて、検出結果が制御装置８０に送信される。また、制御装置８０は、リモートコントローラ８６から各種の指令を受信できるように構成されている。リモートコントローラ８６を使うことにより、ユーザは、冷房、暖房、加湿及び除湿のうちの必要な空気調和機能を設定したり、風量及び／または風速を設定したり、タイマーを用いた空気調和装置１０のオンオフのタイミングを設定したりすることができる。さらに、制御装置８０は、第２室内空間ＲＭ２に対して映像を投影する映像投影装置５０、第２室内空間ＲＭ２に音楽などを流す音響装置６０、及び第２室内空間ＲＭ２に香り成分を発散させる香り発生装置７０を制御することができる。
【００６３】
（３）衝突位置の変更
図７（ａ）には、左に移動した衝突空間ＳＰ３が示されており、及び図７（ｂ）には、右に移動した衝突空間ＳＰ５が示されている。衝突空間ＳＰ３は、図１に示されている衝突空間ＳＰ１よりも左寄りに在る。例えば、図１においては、第１吹出口２１と第２吹出口２２から吹出される調和空気の風速が同じになっている。第１室内ユニット１１及び第２室内ユニット１２は、例えば、同じ機種で同じ能力を備えており、制御装置８０によって第１室内ファン８１と第２室内ファン８２の回転数が同じになるように制御されている。このような状態においては、衝突空間ＳＰ１から第１吹出口２１までの距離と第２吹出口２２までの距離が実質的に同じになる。
【００６４】
上述のような条件において、制御装置８０が第１室内ファン８１の回転数を第２室内ファン８２の回転数よりも大きくすると、第１吹出口２１から吹出される調和空気の風速が第２吹出口２２から吹出される調和空気の風速よりも大きくなる。このような状況は、図７（ａ）において、第２吹出口２２から延びる矢印Ａｒ１２よりも第１吹出口２１から延びる矢印Ａｒ１１を長く記載することによって表されている。このように風速が異なる結果、衝突空間ＳＰ３が第２室内ユニット１２に近づくように左に移動する。衝突空間ＳＰ３が左に移動したことで、重点的に空調される空調空間ＳＰ４も、図１に示されている空調空間ＳＰ２に比べて左に移動している。
【００６５】
上述のような条件において、制御装置８０が第１室内ファン８１の回転数を第２室内ファン８２の回転数よりも小さくすると、第１吹出口２１から吹出される調和空気の風速が第２吹出口２２から吹出される調和空気の風速よりも小さくなる。このような状況は、図７（ｂ）において、第２吹出口２２から延びる矢印Ａｒ２２よりも第１吹出口２１から延びる矢印Ａｒ２１を短く記載することによって表されている。このように風速が異なる結果、衝突空間ＳＰ５が第１室内ユニット１１に近づくように右に移動する。衝突空間ＳＰ５が右に移動したことで、重点的に空調される空調空間ＳＰ６も、図１に示されている空調空間ＳＰ２に比べて右に移動している。
【００６６】
なお、重点的に空調する空調空間を移動させずに、風量及び／または風速を変更するには、例えば第１吹出口２１及び第２吹出口２２から吹出される風量及び／または風速を同じように大きくしたり小さくしたりするように制御すればよい。
【００６７】
（４）変形例
（４−１）変形例１Ａ
上記実施形態では、第１吹出口２１と第２吹出口２２が異なる第１室内ユニット１１及び第２室内ユニット１２に設けられる場合について説明したが、第１室内ユニット１１及び第２室内ユニット１２が一体化したような１つの室内ユニットに、第１吹出口２１と第２吹出口２２が設けられるように構成されてもよい。
【００６８】
（４−２）変形例１Ｂ
上記実施形態では、空気調和装置１０による空調について説明したが、空気調和装置１０は、空気調和機能以外に、図８に示されている映像投影装置５０を例えば衝突空間ＳＰ１の上方に配置してもよい。映像投影装置５０は、整流部材３０の複数の貫通穴３１ａを通して例えば床ＦＬに映像Ｖｄを投影する。映像投影装置５０としては、例えばスライドプロジェクタ及び映画の映写機がある。映像投影装置５０を用いることで、ユーザは、天井ＣＥの方向から降りてくる調和空気とともに床ＦＬなどに投影された映像を使って楽しむことができ、光や映像とともに空調空間ＳＰ２の演出を行うことができる。なお、映像投影装置５０の代わりに、または映像投影装置５０とともに照明装置を衝突空間ＳＰ１の上方に配置して、制御装置８０により照明装置を制御するように構成することもできる。また、制御装置８０において、第１室内ファン８１から第４室内ファン８４を制御するための部分と、映像投影装置５０及び／または照明装置を制御する部分とは、一体的に構成されても別体で構成されてもよい。
【００６９】
（４−３）変形例１Ｃ
上記実施形態では、空気調和装置１０による空調について説明したが、空気調和装置１０は、空気調和機能以外に、図９に示されているスピーカー６１を衝突空間ＳＰ１の上方に配置してもよい。スピーカー６１は、制御装置８０によって制御されている音響装置６０から送られてくる電気信号を音に変換する。スピーカー６１は、整流部材３０の複数の貫通穴３１ａを通して第２室内空間ＲＭ２に音を伝える。衝突空間ＳＰ１の上方に配置されたスピーカー６１を用いることで、ユーザは、天井ＣＥの方向から降りてくる調和空気とともに音響効果を使って音楽または効果音などを楽しむことができ、音とともに空調空間ＳＰ２の演出を行うことができる。なお、制御装置８０において、第１室内ファン８１から第４室内ファン８４を制御するための部分と、音響装置６０を制御する部分とは、一体的に構成されても別体で構成されてもよい。
【００７０】
（４−４）変形例１Ｄ
上記実施形態では、空気調和装置１０による空調について説明したが、空気調和装置１０は、空気調和機能以外に、図１０に示されている香り発生装置７０を第１室内ユニット１１及び第２室内ユニット１２に設けてもよい。香り発生装置７０は、香り成分７１を調和空気に混入させる。調和空気に混入された香り成分７１は、調和空気の衝突によって撹拌される。このように撹拌された香り成分７１が行き渡った調和空気が整流部材３０の複数の貫通穴３１ａを通して第２室内空間ＲＭ２に降りてくる。香り発生装置７０を用いることで、ユーザは、天井ＣＥの方向から降りてくる調和空気とともに香りを楽しむことができ、香りとともに空調空間ＳＰ２の演出を行うことができる。なお、図１０では、香り発生装置７０を第１室内ユニット１１及び第２室内ユニット１２の両方に設ける場合について説明したが、いずれか一方にのみ香り発生装置７０を設けてもよい。あるいは、第１室内ユニット１１及び第２室内ユニット１２から離れた場所であって第１吹出口２１及び／または第２吹出口２２から吹出される調和空気に香り成分７１を混入できる場所に、香り発生装置７０を設けてもよい。また、制御装置８０において、第１室内ファン８１から第４室内ファン８４を制御するための部分と、香り発生装置７０を制御する部分とは、一体的に構成されても別体で構成されてもよい。
【００７１】
（５）特徴
（５−１）
上述のように空気調和装置１０は、第１室内ユニット１１及び第２室内ユニット１２の第１吹出口２１及び第２吹出口２２から水平方向に沿って吹き出す調和空気の風量及び／または風速を制御できることから、第１吹出口２１と第２吹出口２２から吹き出された調和空気が衝突する衝突空間ＳＰ１の下方に配置された整流部材３０によって、衝突して乱れた気流を整流して整えて第２室内空間ＲＭ２に向けて降りていくような空調を行うことができる。第１吹出口２１及び第２吹出口２２から水平方向に沿って吹出されて衝突した調和空気を、整流部材３０を通過させることによって整流して、比較的広い面積で天井から室内空間の下部に渦流の無くなった状態にして所望の風量及び／または風速で吹出させることができる。見方を変えると、整流部材３０が行う整流は、別方向から衝突空間に流れ込んだ調和空気が衝突して下方に向きを変えるときに発生した渦流を減らすことである。
【００７２】
（５−２）
図１、図７（ａ）及び図７（ｂ）を用いて説明したように、第１室内ユニット１１及び第２室内ユニット１２が第１吹出口２１と第２吹出口２２から吹き出す調和空気の風量及び／または風速を制御装置８０によって制御することにより、調和空気が降りる平面的な位置の変更を制御できるように構成されている。例えばユーザからの要求に応えて調和空気が降りる平面的な位置の変更を制御することができ、調和空気を吹出させるエリアの設定位置を変更することができる。つまり、ユーザは、例えば、図１に示されている空調空間ＳＰ２、図７（ａ）に示されている空調空間ＳＰ４、及び図７（ｂ）に示されている空調空間ＳＰ６の何れを重点的に空調するかの選択が可能になる。
【００７３】
（５−３）
整流部材３０の上方の衝突空間ＳＰ１で衝突した調和空気が第１室内空間ＲＭ１から第２室内空間ＲＭ２に降りていく際に、厚さＴＨが５ｍｍ以上あることから整流部３１の中を十分な距離通過させることができて十分に整流することができ、また厚さＴＨが５０ｍｍ以下であることから貫通穴３１ａの流路抵抗を小さくできて適度な風速及び／または風量を得易くなる。その結果、整流部材３０を通過した気流（図１の矢印Ａｒ４）を十分に整えて気流の乱れを十分に取り除くことができる。
【００７４】
（５−４）
上記実施形態の空気調和装置１０においては、貫通穴３１ａの流路面積３１ａａが１０平方ミリメートル以上であることから、各貫通穴３１ａの圧力損失を小さくして調和空気の気流が確保し易くなる。また、各貫通穴３１ａの流路面積が５０平方ミリメートル以下であることから気流の乱れを除いて整流する機能を十分に確保し易くなる。その結果、図１の矢印Ａｒ４で示されている整流部材３０を通過した気流を十分に整えて気流の乱れを十分に取り除くことができる。
【００７５】
（５−５）
天井ＣＥから整流部材３０までの距離Ｌ１が３０ｍｍ以上であることから水平方向に吹出される調和空気の圧損を小さくして衝突する調和空気の風量及び／または風速を確保し易くなり、天井ＣＥから整流部材３０までの距離Ｌ１が８００ｍｍ以下であるので整流部材３０までの高さを確保し易くなる。整流部材３０がこのように配置された結果、整流部材３０の上方を流れる調和空気の気流を制御して所望の気流を形成し易くなり、整流部材３０の下方において快適な空間を形成し易くなる。
【００７６】
（５−６）
整流部材３０が複数のブロックＢＬ１〜ＢＬ４に分割され、互いに隣接するブロック同士が接触していることから、設置された状態では複数のブロックＢＬ１〜ＢＬ４がまとまってほぼ一体的になっているように見えながら、天井ＣＥを整流部材３０が覆う面積よりも小さなブロックを使って整流部材３０の全体を形成できている。そのため、整流部材３０を一体的につくる場合に比べて整流部材３０を安価に提供でき、また一体的な整流部材３０よりも分割されたブロックからなる整流部材の方が施工やメンテナンスも容易になる。
【００７７】
（５−７）
整流部材３０が天井ＣＥから吊り下げられる支持部材４０に掛止されて支持されていることから、天井ＣＥの適当な場所に支持部材４０を取り付けて整流部材３０の設置場所を適宜設定することができる。そして、整流部材３０の設置場所を適宜設定できる結果、整流部材３０の設置場所の選択の自由度が広がる。
【００７８】
（５−８）
図３及び図４を用いて説明したように整流部材３０が揺動可能に吊り下げられている場合には、整流部材３０を揺らすことによって様々な副次効果を付加することができる。例えば整流部材３０がブロックＢＬ１〜ＢＬ４に分割されている場合には隣接するブロック同士を衝突させて風鈴のような音または衝突音などを発生させたり、整流部材３０がアルミニウムのように光を反射する部材で構成されているときには床ＦＬに投影された反射光を動かしてアミューズメント空間を演出したりできる。つまり、整流部材３０の設置された部屋のアメニティ空間としての機能を向上させることができる。
【００７９】
（５−９）
図８を用いて説明した変形例１Ｂの空気調和装置１０は、第１吹出口２１と第２吹出口２２から吹き出された調和空気が衝突する衝突空間ＳＰ１の上方に配置されている照明装置及び／または映像投影装置５０により、衝突後の整流された調和空気が降りていく空調空間ＳＰ２の照明や映像を調整できる。その結果、整流部材３０を通過した光及び／または映像によって空調空間ＳＰ２の演出ができる。
【００８０】
（５−１０）
図９を用いて説明した変形例１Ｃの空気調和装置１０は、第１吹出口２１と第２吹出口２２から吹き出された調和空気が衝突する衝突空間ＳＰ１の上方に配置されているスピーカー６１により、衝突後の整流された調和空気が降りていく空調空間ＳＰ２の音を調整できる。その結果、整流部材３０を通過した音によって空調空間ＳＰ２の演出ができる。
【００８１】
（５−１１）
図１０を用いて説明した変形例１Ｄの空気調和装置１０は、第１吹出口２１及び／または第２吹出口２２から吹き出された調和空気に香り成分７１を混入させる香り発生装置７０を備えることから、第１吹出口２１及び第２吹出口２２から吹き出された調和空気の衝突によって香り成分７１を調和空気の中で撹拌できる。その結果、整流部材３０を通過した香りによる空調空間ＳＰ２の演出の質を高めることができる。
【００８２】
（５−１２）
整流部材３０の材質がアルミニウムである場合には、図５を用いて説明したように、暖房時に、衝突空間ＳＰ１の下方だけでなく、整流部材３０の広範囲に熱を伝達することができる。その結果、整流部材３０の広い範囲からの輻射による熱の伝達が行える。
【符号の説明】
【００８３】
１０  空気調和装置
１１  第１室内ユニット
１２  第２室内ユニット
２１  第１吹出口
２２  第２吹出口
３０  整流部材
４０  支持部材
５０  映像投影装置
６０  音響装置
６１  スピーカー
７０  香り発生装置
【先行技術文献】
【特許文献】
【００８４】
【特許文献１】特開平４−２９７７４０号公報
【図１】
2019020096.tif 000003
【図２】
2019020096.tif 000004
【図３】
2019020096.tif 000005
【図４】
2019020096.tif 000006
【図５】
2019020096.tif 000007
【図６】
2019020096.tif 000008
【図７】
2019020096.tif 000009
【図８】
2019020096.tif 000010
【図９】
2019020096.tif 000011
【図１０】
2019020096.tif 000012